(57)【要約】【課題】作業者が電子機器の配置の変更などを行っても、ケーブルの取り回しや固定が容易であり、縦置きから横置きへの変更に際して、ケーブルの再配線などの必要が無く、取り付けた状態でも電子機器の横置きができる電子機器用のスタンドの提供を図る。【解決手段】電子機器用のスタンド１０は、基台部２と第１壁部１と第２壁部６と載置部３とを備え、基台部２と載置部３との間の空間部１１に、ルータ装置１００に接続される通信ケーブル１２０を通過させる。ルータ装置１００の縦置き時には、基台部２を水平面に設置し、第１壁部１のねじ穴によりルータ装置１００本体とスタンド１０とをねじ止めし固定する。その際、載置部３はルータ装置１００本体を支持する。ルータ装置１００の横置き時には、第２壁部６をルータ装置１００本体にねじ止めし固定する。【選択図】図１
2008091780.tif 000002
【特許請求の範囲】
【請求項１】
電子機器の載置面の短辺よりも寸法が大きい第１辺および第３辺と、前記第１辺および第３辺に直交する第２辺および第４辺と、を有する矩形の板状の基台部と、
前記基台部の前記第２辺に沿う位置に配した、前記基台部から立設する板状の壁部と、
前記基台部から所定寸法離れた位置に配した、前記壁部から前記第４辺方向に立設する載置部と、
前記基台部の前記第４辺よりの位置に立設する第１のコード係止部と、を備える電子機器用のスタンド。
【請求項２】
前記壁部は、前記載置部が立設する位置よりも更に前記基台部から離れた位置で、前記基台部の前記第２辺方向にクランク状に折り曲がる形状であり、
前記壁部の折り曲げ位置よりも前記基台部に近い位置に配した、前記電子機器の縦置用固定部と、
前記壁部の折り曲げ位置よりも前記基台部に遠い位置に配した、前記電子機器の横置用固定部と、を備える請求項１に記載の電子機器用のスタンド。
【請求項３】
前記横置用固定部への前記電子機器の固定時に、
前記壁部は前記折り曲げ位置よりも前記基台部に遠い位置の前記第４辺方向の面で電子機器に当接し、
前記基台部は、前記第２辺を構成する側面で電子機器の設置面に当接する請求項２に記載の電子機器用のスタンド。
【請求項４】
２つの前記載置部を、前記第１辺よりと前記第３辺よりの位置に配し、
前記２つの載置部間の壁部から、前記基台部の前記第４辺方向に立設する第２のコード係止部を備える請求項１〜３のいずれかに記載の電子機器用のスタンド。
【発明の詳細な説明】
【技術分野】
【０００１】
この発明は、電子機器用のスタンド、特にルータ装置やスイッチングハブ装置など複数のケーブルが接続される通信機器用のスタンドに関する。
【背景技術】
【０００２】
一般に複数のケーブルが接続された電子機器、例えば通信機器などでは、それらの設置に伴いケーブルの配線作業が必要となる。以下、通信機器を例に、この配線作業について説明する。
【０００３】
ルータ装置やスイッチングハブ装置などの通信機器にはＬＡＮケーブルや光ケーブルなどの複数の通信ケーブルが接続される。通信機器の本体正面には各通信ケーブルの通信状態を表示するＬＥＤなどが配置され、本体背面には通信機器本体と電源ケーブルとの接続コネクタが配置される。なお、通信ケーブルの接続コネクタについては本体正面に配置するタイプの製品と本体背面に配置するタイプの製品とがある。
【０００４】
このような通信機器を横置きする場合、通信機器本体底面に設けられる脚部をラック等の水平面に設置する。一方、通信機器を縦置き配置する場合、本体側面（横置き時の側面）に通信機器の姿勢を安定させるスタンドを固定し、スタンドをラック等の水平面に設置する。
【０００５】
特許文献１には、通信機器を縦置きで配置する際に用いるスタンドの構成が開示されている。このスタンドは、水平面に設置する基台部と一対の狭持板とにより構成される。一対の狭持板により通信機器の本体上面（横置き時の上面）と本体底面（横置き時の底面）を狭持することで、通信機器を縦置き配置した状態でも通信機器の姿勢を安定させる。
【特許文献１】特開２００２−１２４７７８号公報
【発明の開示】
【発明が解決しようとする課題】
【０００６】
通信機器を縦置きする場合、スタンドを用いていても通信ケーブルに外力が加わることにより装置本体が転倒する危険性がある。特に、通信機器本体の正面に通信ケーブルの接続コネクタが存在するタイプの製品では、本体正面に接続する通信ケーブルに物が引っかかったりして装置本体が転倒する可能性が大きい。
【０００７】
そこで、一般にインシュロックやビニールタイ等により複数の通信ケーブルを束ね、束ねた通信ケーブルを安全な位置に取り回し、通信機器を収納するラック等に固定する配線作業が行われる。このような配線作業を行っておけば、通信機器を縦置きした場合の装置本体の転倒の可能性を低減できる。
【０００８】
しかしながら、通信ケーブルを束ねたり取り回したりする配線作業は、作業者にとっては煩雑であった。さらには、通信ケーブルの配線作業を行った後に設置位置の変更、縦置きから横置きへの変更などを行う場合、収納ラック等に固定したインシュロックの取り外し、再配線など、よけいな作業が必要となり、その作業も作業者にとって煩雑であった。
【０００９】
このような電子機器のケーブルの配線作業に伴う問題は、製品の利用者にとって不便なものであり、より迅速で簡易に配線作業を行うことへの要望は極めて大きなものであった。
【００１０】
また、電子機器とスタンドとを組み合わせたまま横置きしようとすると、スタンドの基台部が水平面に接触して、通信機器底面に設けられる脚部が浮いてしまう。したがって、横置きする場合にはスタンドを取り外す必要があった。
【００１１】
そこで、この発明では、作業者が電子機器の配置の変更などを行っても、ケーブルの取り回しや固定が容易であり、縦置きから横置きへの変更に際して、ケーブルの再配線などの必要が無く、スタンドを取り付けた状態でも電子機器の横置きができる電子機器用のスタンドを提供することを目的とする。
【課題を解決するための手段】
【００１２】
この発明は、上記の課題を解決するための手段として、以下の構成を備えている。
【００１３】
［１］  この発明の電子機器用のスタンド（１０）は、電子機器の載置面の短辺よりも寸法が大きい第１辺および第３辺と、前記第１辺および第３辺に直交する第２辺および第４辺と、を有する矩形の板状の基台部（２）と、前記基台部（２）の前記第２辺に沿う位置に配した、前記基台部（２）から立設する板状の壁部（１）と、前記基台部（２）から所定寸法離れた位置に配した、前記壁部（１）から前記第４辺方向に立設する載置部（３）と、前記基台部（２）の前記第４辺よりの位置に立設する第１のコード係止部（５）と、を備える。
【００１４】
この構成では、スタンドには、基台部と載置部と壁部と第１のコード係止部とを設けているので、基台部と載置部と壁部と第１のコード係止部とにより囲まれた空間が形成される。したがって、この空間に通信ケーブルを通過させることで、複数の通信ケーブルを基台部と載置部と壁部と第１のコード係止部とで束ねることが可能になる。これにより、通信ケーブルをスタンドに対して固定することができる。したがって、電子機器、例えば通信機器を縦置きする場合、通信子機器本体の下の部分にスタンドを固定することで、通信ケーブルを通信機器本体に相対的に固定することができる。
【００１５】
したがって、仮に通信機器が本体正面に通信ケーブルの接続コネクタを配置したタイプの製品であれば、通信ケーブルを通信機器本体の下で束ねながら、通信機器本体の背面まで配線することができる。このようにして通信ケーブルを配線できれば、通信機器が転倒する危険性を大幅に低減できる。
【００１６】
そのうえ、単に通信ケーブルをスタンド下の空間に引っ掛けるだけで配線作業を行うことができ、作業者にとって配線作業そのものが容易になる。また、通信ケーブルの固定が、ラックなどの外部のものに対してでは無く、通信装置本体に対しての相対的な固定になるので、通信ケーブルの配線作業を行った後の配置の変更、縦置きから横置きへの変更などを行っても、通信ケーブルの取り外し、再配線などの作業が必要で無くなる。
【００１７】
［２］  この発明の電子機器用のスタンド（１０）は、前記壁部（１）は、前記載置部（３）が立設する位置よりも更に前記基台部（２）から離れた位置で、前記基台部（２）の前記第２辺方向にクランク状に折り曲がる形状であり、前記壁部（１）の折り曲げ位置よりも前記基台部（２）に近い位置に配した、前記電子機器の縦置用固定部（８Ａ）と、前記壁部の折り曲げ位置よりも前記基台部に遠い位置に配した、前記電子機器の横置用固定部（８Ｂ）と、を備える。
【００１８】
この構成により、電子機器を縦置きする場合に、電子機器の縦置用固定部（８Ａ）によりスタンドと電子機器を確実に固定できる。また、電子機器を横置きする場合に、電子機器の横置用固定部（８Ｂ）によりスタンドと電子機器を確実に固定できる。
【００１９】
例えば通信装置を縦置きし、縦置用固定構造を通信装置本体にねじ止め等により固定した状態から、ねじ等をはずして固定を解き、新たに横置用固定部を通信装置本体にねじ止め等により固定するのみで、通信装置を横置きでき、配線に関して束ね直したり固定しなおしたりする必要が無くなる。横置きの場合、スタンドとしての機能は特に利用できなくなるが、通信ケーブルを束ねて取り回す機能を利用できる。したがって、通信ケーブルに物が引っかかったりして、通信機器本体と通信ケーブルのコネクタが外れてしまうことが低減できる。
【００２０】
［３］  この発明の電子機器用のスタンド（１０）は、前記横置用固定部（８Ｂ）の前記電子機器への固定時に、前記壁部（１）は前記折り曲げ位置よりも前記基台部（２）に遠い位置の前記第４辺方向の面で電子機器に当接し、前記基台部は、前記第２辺を構成する側面で電子機器の設置面に当接する。
【００２１】
この構成により、電子機器を横置きにした状態でも、電子機器底面の脚部を水平面に接触させて電子機器を配置できる。したがって、電子機器の底面の脚部が浮き上がってしまうことが無く、スタンドを固定したままであっても電子機器の横置きが可能になる。
【００２２】
［４］  この発明の電子機器用のスタンド（１０）は、２つの前記載置部（３）を、前記第１辺よりと前記第３辺よりの位置に配し、前記２つの載置部（３）間の壁部（１）から、前記基台部（２）の前記第４辺方向に立設する第２のコード係止部（４）を備える。
【００２３】
この構成により、載置部（３）を壁部（１）の端から端まで設けなくても、通信ケーブルを、壁部（１）の端から端まで整えながら束ねることができる。また、スタンド（１０）全体を軽量化できる。
【発明の効果】
【００２４】
本発明の電子機器用のスタンドでは、通信ケーブルが通信機器本体に対して相対的に固定されるため、作業者が通信機器の配置の変更などを行っても、通信ケーブルの取り回しや固定を変更する必要が無くなり、取り回しが容易になる。また、スタンドを取り付けたまま横置きが可能である。また、横置きから縦置き、縦置きから横置きなどの変更の際に、ケーブルの再配線が必要でなくなる。
【発明を実施するための最良の形態】
【００２５】
以下、本発明の第１の実施形態のスタンドについて図１〜図４に基づいて説明する。
【００２６】
図１は、通信機器であるルータ装置に本実施形態のスタンドを装着して縦置きし、ルータ装置にＬＡＮケーブル等の通信ケーブルを接続した状態を示した図である。なお、以下の説明では直交座標系での座標軸を設定し、縦置き時の通信機器の装置正面をＸ−Ｚ面、底面をＸ−Ｙ面、側面をＹ−Ｚ面と称する。同図（Ａ）が縦置きした状態での背面図（＋Ｙ方向からみたＸ−Ｚ面）であり、同図（Ｂ）が縦置きした状態での左側面図（−Ｘ方向からみたＹ−Ｚ面）であり、同図（Ｃ）が縦置きした状態での正面図（−Ｙ方向からみたＸ−Ｚ面）である。
【００２７】
スタンド１０は、樹脂を一体に成形したものである。また、ルータ装置１００は、ケース１０１内部に、複数の下位ポート、アップリンクポート、制御回路、電源回路およびスイッチング回路などを内設するものである。
【００２８】
ルータ装置１００を縦置きする場合、ルータ装置１００はケース１０１の本体左側面（同図下側の面）を下に向けてスタンド１０の上に載せ、ケース１０１の本体底面（同図（Ｂ）に示す面の逆面）に設けてあるねじ穴と、スタンド１０に設けてあるねじ穴８Ａとの位置を一致させ、ねじ１１０によりねじ止めして、ルータ装置１００とスタンド１０とを固定する。そして、スタンド１０を下にして水平面１３０上に配置する。
【００２９】
また、ルータ装置１００の正面に設けてあるＬＡＮケーブルの接続用のコネクタＬＡＮ１−１〜ＬＡＮ１−４，ＬＡＮ２，ＬＡＮ３、ＩＳＤＮケーブルの接続用のコネクタＩＳＤＮ  Ｓ／Ｔ、にはそれぞれ通信ケーブル１２０を接続する。通信ケーブルはルータ装置１００の下のスタンド１０まで引き回し、スタンド１０の空間部１１を通過させることで束ねながら、ルータ装置１００のケース１０１背面側まで配線する。
【００３０】
以下、各装置の詳細構成について説明する。
【００３１】
まず、ルータ装置１００について図２に基づいて説明する。図２は、ルータ装置１００の外観図であり、同図（Ｃ）がルータ装置１００のケース正面図（−Ｙ方向からみたＸ−Ｚ面）であり、（Ｂ）がルータ装置１００のケース上面図（−Ｘ方向からみたＹ−Ｚ面）であり、（Ａ）がルータ装置１００のケース背面図（＋Ｙ方向からみたＸ−Ｚ面）である。
【００３２】
このルータ装置１００のケース１０１は、ケース上面とケース下面の間が薄い直方体形状である。ケース１０１の本体正面側にはＬＡＮケーブルの接続用のコネクタＬＡＮ１−１〜ＬＡＮ１−４，ＬＡＮ２，ＬＡＮ３、ＩＳＤＮケーブルの接続用のコネクタＩＳＤＮ  Ｓ／Ｔを設けている。各コネクタにはＬＥＤランプを対応付け、それぞれ対応するコネクタを介しての接続状態（通信状態）に従って点灯するようにしている。また、パソコン等を介したコンソール入力により当該ルータ装置の設定等を行うために、コンソール入力用のコネクタＣＯＮＳＯＬＥを設けている。
【００３３】
なお、コネクタＬＡＮ１，ＬＡＮ２，ＬＡＮ３は、アップリンクポートまたは下位ポートであり、ＬＡＮやＷＡＮ、ＤＭＺ（DeMilitarized Zone）など接続するネットワークごとに分別されるものである。
【００３４】
また、このケース１０１の本体背面側には、当該ルータ装置の主電源スイッチ１０４とアース線の接続端子１０６と電源ケーブル１０５とを備えている。
【００３５】
ルータ装置１００のケース１０１下面（不図示）の四隅には４本の脚部１０２を設けている。この４本の脚部１０２は、ルータ装置１００を横置きする際に水平面に設置される。また、４本の脚部１０２よりもケース側面側でＹ軸方向の中心付近にそれぞれ４本のねじ穴１０３を設けている。このねじ穴１０３は、スタンド１０を付けていない状態では、ねじ（不図示）を螺合させることで塞がれる。スタンド１０を付けた状態ではスタンド１０の結合部に設けてあるねじ穴と位置を一致させた状態でねじ（不図示）を螺合させることで、スタンド１０とケース１０１とを固定する。このルータ装置１００は、縦置き、横置き、いずれでも動作可能である。
【００３６】
次に、スタンド１０の詳細構成について図３に基づいて説明する。図３は、スタンド１０の外観図であり、同図（Ａ）がスタンド１０の背面図（＋Ｙ方向からみたＸ−Ｚ面）であり、（Ｂ）がスタンド１０の上面図（＋Ｚ方向からみたＸ−Ｙ面）であり、（Ｃ）がスタンド１０の左側面図（−Ｘ方向からみたＹ−Ｚ面）であり、（Ｄ）がスタンド１０の下面図（−Ｚ方向からみたＸ−Ｙ面）であり、（Ｅ）がスタンド１０の正面図（−Ｙ方向からみたＸ−Ｚ面）である。
【００３７】
このスタンド１０は、第１壁部１と第２壁部６と載置部３と基台部２とコード係止部４，５とクランク部７とから成り、樹脂を一体成型したものである。第１壁部１と第２壁部６と基台部２とクランク部７とはそれぞれ薄肉の板状であり、第１壁部１と第２壁部６とは互いの主面が平行（Ｙ−Ｚ面に平行）する。また、基台部２とクランク部７とは互いの主面が平行（Ｘ−Ｙ面に平行）する。
【００３８】
同図（Ｂ）における、基台部２の短辺のうち＋Ｙ側の短辺が本発明の第１辺であり、−Ｙ側の短辺が本発明の第３辺である。また、基台部２の長辺のうち＋Ｘ側の長辺が本発明の第２辺であり、−Ｘ側の長辺が本発明の第４辺である。本実施形態の基台部２は、主面形状を略長方形としていて、その四隅を面取りしている。なお、本発明は基台部２の主面形状が、第１辺および第３辺が電子機器の載置面の短辺よりも大きい主面形状であれば、どのような主面形状であっても好適に実施できる。
【００３９】
基台部２の短辺の−Ｘ側よりの位置それぞれには、垂直方向（＋Ｚ方向）に延びる板状のコード係止部５を立設している。また、基台部２の＋Ｘ側の長辺に沿う位置からは、垂直方向（＋Ｚ方向）に第１壁部１を立設している。
【００４０】
また同図（Ｄ）に示すように、基台部２の底面側には、２隅に滑り止め用のゴムパット１２を設けている。
【００４１】
同図（Ｃ）に示す第１壁部１の主面（Ｙ−Ｚ面）形状は略長方形であり、＋Ｚ側で短辺が内側にえぐれている。第１壁部１の基台部２から所定寸法＋Ｚ側に離れた位置からは、第１壁部１から−Ｘ方向に延びる板状の載置部３を２つ立設している。また、２つの載置部３間には、第１壁部１から−Ｘ方向に延びる柱状のコード係止部４を４つ立設している。これらの４つのコード係止部４と２つの載置部３はＹ軸方向に配列している。
【００４２】
第１壁部１は−Ｚ方向の長辺で基台部２に垂直に当接する。また、第１壁部１は＋Ｚ方向の長辺で、垂直方向（＋Ｘ方向）に屈曲し、クランク部７に連続する。
【００４３】
なお、同図（Ａ）、同図（Ｅ）に示すように基台部２から立設するコード係止部５と、第１壁部１から立設する載置部３とは、Ｘ−Ｚ面に平行な板状部材を部分的に切除して構成したものである。（コード係止部５と載置部３とは薄肉の板状部材の削りだし以外の方法で成形してもよい。）
同図（Ｂ）に示すクランク部７の主面（Ｘ−Ｙ面）は略長方形であり、−Ｘ方向の長辺で、垂直方向（−Ｚ方向）に屈曲し、第１壁部１に連続する。また、＋Ｘ方向の長辺で垂直方向（＋Ｚ方向）に屈曲し、第２壁部６に連続する。
【００４４】
また、同図（Ｃ）に示す第２壁部６の主面（Ｙ−Ｚ面）は略長方形であり、−Ｚ方向の長辺で、垂直方向（−Ｘ方向）に屈曲し、クランク部７に連続する。また、＋Ｚ方向の長辺の角が面取りされている。
【００４５】
また、第１壁部１には＋Ｚ方向の長辺付近に、Ｘ方向に貫通するねじ穴８Ａを設けている。ねじ穴８ＡはＹ方向に２つ配列している。このねじ穴８Ａが本発明の縦置用固定部であり、ルータ装置１００の縦置き時に、ルータ装置１００へのスタンド１０のねじ止めに用いる。
【００４６】
また、第２壁部６には、Ｘ方向に貫通するねじ穴８Ｂを設けている。ねじ穴８ＢはＹ方向に２つ配列している。このねじ穴８Ｂが本発明の横置用固定部であり、ルータ装置１００の横置き時に、ルータ装置１００へのスタンド１０のねじ止めに用いる。なお、これらのねじ穴８Ａ,８Ｂはねじ切りしていない単なる穴であってもよい。
【００４７】
以上のようなスタンド１０とルータ装置１００により、ルータ装置１００を縦置きする場合のルータ装置１００本体の下のスタンド１０の基台部２と第１壁部１と載置部３とコード係止部４，５との間の空間部１１に通信ケーブル１２０を通過させることが可能になる。この空間部１１に複数の通信ケーブル１２０を束ねることにより、通信ケーブル１２０がスタンド１０に対して固定される。スタンド１０自体はルータ装置１００に対してねじ止めにより固定されるため、通信ケーブル１２０もルータ装置１００本体に相対的に固定される。
【００４８】
したがって、本実施形態で示したようにルータ装置１００が本体正面に通信ケーブル１２０の接続コネクタを配置したタイプの製品であっても、通信ケーブル１２０を上記のようにルータ装置１００本体の下で束ねながら、本体背面まで配線することができる。このようにして通信ケーブル１２０を配線できるため、ルータ装置１００を縦置きしても転倒する危険性が大幅に低減される。
【００４９】
また、空間部１１を基台部２と第１壁部１と載置部３とコード係止部４，５とにより構成し、コード係止部４，５の間に隙間を設けているため、単に通信ケーブルをスタンド下の空間部分に引っ掛けるだけで配線作業を行うことができ、作業者にとって配線作業そのものが容易になる。
【００５０】
次に、本実施形態のルータ装置１００を横置きする場合のスタンド１０の配置を説明する。
【００５１】
図４は、ルータ装置１００にＬＡＮケーブル等の通信ケーブルを接続した状態で、スタンド１０を装着して横置きした図である。
【００５２】
ルータ装置１００を横置きする場合、ルータ装置１００のケース１０１に設けたねじ穴１０３に、スタンド１０の第２壁部６に設けたねじ穴８Ｂを合わせてねじ１１０を螺合する。これにより、ルータ装置１００のケース１０１にスタンド１０を固定する。そして、ルータ装置１００のケース１０１の本体底面を下に向けて水平面上に載せ、ケース１０１底面の脚部１０２と、スタンド１０の基台部２の端面を水平面上に設置する。
【００５３】
ルータ装置１００の正面に設けてあるＬＡＮケーブルの接続用のコネクタにはそれぞれ通信ケーブル１２０を接続する。通信ケーブルはルータ装置１００の横のスタンド１０まで引き回し、スタンド１０の空間部１１を通過させ束ねる。このようにして、ルータ装置１００のケース１０１背面側まで通信ケーブル１２０を配線する。
【００５４】
ここで、スタンド１０は、基台部２の端面が水平面に接するようにその寸法を定めている。なお、基台部２の端面が水平面から一定距離離れるようにその寸法を定めても良いが、横置き時に水平面に接するようにその寸法を定めたほうが、縦置き時に水平面と基台部２とが接する面積が大きくなり、ルータ装置１００の姿勢安定性の面で望ましい。また、第１壁部１と第２壁部６との間に設けた段差（クランク部）は必ずしも必要では無いが、段差を設けておいたほうが、基台部２と第１壁部１との接続位置から、横置き時に水平面に当接する基台部２の端面までの距離を大きく確保できる。このような構成により、縦置き時に水平面と基台部２とが接する面積を大きくでき、ルータ装置１００の姿勢安定性の面で望ましい。
【００５５】
このような構成により、ルータ装置１００を横置きにした状態で、ルータ装置１００底面の脚部１０２とスタンド１０の基台部２の端面を水平面に接触させて、ルータ装置１００を配置する。したがって、ルータ装置１００の底面の脚部１０２が浮き上がってしまうことが無く、ルータ装置１００に対してスタンド１０を固定したままであってもルータ装置１００の横置きが可能になる。
【００５６】
スタンド１０をこのような構成とすることで、通信ケーブル１２０の固定がラックなどの外部のものに対してでは無く、ルータ装置１００本体に対しての相対的な固定になる。したがって、通信ケーブル１２０の配線作業を行った後の配置の変更、縦置きから横置きへの変更などを行う際に、通信ケーブル１２０の取り外しや再配線などの作業が必要で無くなる。
【００５７】
なお、以上の実施形態では、載置部３とコード係止部４とを別体に構成した例を示したが、これらを板状の部材で一体に構成するようにしても良い。また、その場合、この部材にルータ装置１００との固定に用いるねじ穴（縦置用固定部）を設けるようにしても良い。また、ねじ穴以外の構造を用いて、ルータ装置とスタンドを固定しても良い。
【００５８】
また、コード係止部５を基台部２から＋Ｚ方向に立設する構成をしめしたが、コード係止部５を、基台部ではなく載置部から−Ｚ方向に立設する構成であっても良い。
【００５９】
また、本発明の適用範囲は、ルータ装置に限らず、複数のケーブルが接続されるものであれば、多様な電子機器に適応可能である。
【図面の簡単な説明】
【００６０】
【図１】第１の実施形態のスタンドをルータ装置に装着して、ルータ装置を縦置きする場合の外観図である。
【図２】ルータ装置の外観図である。
【図３】第１の実施形態のスタンドの外観図である。
【図４】第１の実施形態のスタンドをルータ装置に装着して、ルータ装置を横置きする場合の外観図である。
【符号の説明】
【００６１】
１−第１壁部
２−基台部
３−載置部
４，５−コード係止部
６−第２壁部
７−クランク部
８−ねじ穴
１０−スタンド
１１−空間部
１００−ルータ装置
１０１−ケース
１０２−脚部
１０３−ねじ穴
１０４−主電源スイッチ
１０５−電源ケーブル
１０６−接続端子
１２０−通信ケーブル
ＣＯＮＳＯＬＥ，ＩＳＤＮ，ＬＡＮ１，ＬＡＮ２，ＬＡＮ３−コネクタ
【図１】
2008091780.tif 000003
【図２】
2008091780.tif 000004
【図３】
2008091780.tif 000005
【図４】
2008091780.tif 000006